(57)【要約】      （修正有）【課題】仮固定忘れを防止することができ、かつ、二重落下防止構造を同時に備えて、安全かつ容易に空調装置本体の据付けが可能な空調装置を提供する。【解決手段】天井部材の開口部の室外側に配置され、室内側端面に開口部の内周縁に沿う本体フランジ部が設けられた空調装置本体と、内周縁の室内側の面に接触して配置される枠状の枠フランジ部を有し、空調装置本体を固定するためのネジ穴を備えた取付枠とを備え、取付枠の枠フランジ部に引掛部が設けられ、本体フランジ部に回転可能で、かつ空調装置本体を取付枠にねじ止め固定するための仮固定受け金具が設けられ、本体フランジ部の仮固定受け金具を回転させて、引掛金具の引掛部に前記仮固定受け金具が係合した位置において、取付ねじが仮固定受け金具に設けられた孔と本体フランジ部に設けられた孔を貫通して、枠フランジ部のネジ穴に螺合されて、空調装置本体が取付枠に固定される。【選択図】図２
2010159906.tif 000002
【特許請求の範囲】
【請求項１】
天井部材の開口部に取り付けられる空調装置であって、
前記開口部の室外側に配置され、その室外側の外面に空気の通風口を有するとともに、その室内側端面に前記開口部の内周縁に沿う本体フランジ部が設けられた空調装置本体と、
前記開口部の内周縁の室内側の面に接触して配置される枠状の枠フランジ部を有し、前記空調装置本体を固定するためのネジ穴を備えた取付枠とを備え、
前記天井部材と前記本体フランジ部との間に前記枠フランジ部が配置されるとともに、
前記取付枠の前記枠フランジ部に前記空調装置本体の自重を支えるための引掛部が設けられ、
前記本体フランジ部に回転可能で、かつ前記空調装置本体を取付枠にねじ止め固定するための孔が設けられた仮固定受け金具が設けられ、
前記空調装置本体を前記天井部材に取り付けられた取付枠を通して前記開口部に取り付ける際、
前記本体フランジ部の前記仮固定受け金具を回転させて、前記引掛金具の引掛部に前記仮固定受け金具が係合した位置において、
前記仮固定受け金具に設けられた孔が一致する位置の本体フランジ部に孔を設け、
取付ねじが仮固定受け金具に設けられた前記孔と本体フランジ部に設けられた孔を貫通して、枠フランジ部のネジ穴に螺合されて前記空調装置本体が前記取付枠に固定されることを特徴とする空調装置。
【請求項２】
前記空調装置本体を前記天井部材の前記開口部に取り付ける際、前記空調装置本体を取付用ねじを螺着した後には、取付用ねじが前記仮固定受け金具の回転を規制し、前記引掛部に前記仮固定受け金具の孔が係合できない構造であることを特徴とする請求項１に記載の空調装置。
【請求項３】
天井部材の開口部に取り付けられる空調装置であって、
前記開口部の室外側に配置され、その室外側の外面に空気の通風口を有するとともに、その室内側端面に前記開口部の内周縁に沿う本体フランジ部が設けられた空調装置本体と、
前記開口部の内周縁の室内側の面に接触して配置される枠状の枠フランジ部を有する取付枠と、
前記空調装置本体の室内側の面を覆うパネル
とを備え、
前記天井部材と前記本体フランジ部との間に前記枠フランジ部が配置されるとともに、
前記取付枠の前記枠フランジ部に前記空調装置本体の自重を支えるための引掛金具が設けられ、
前記本体フランジ部に回転可能な仮固定受け金具が設けられ、
前記空調装置本体を前記枠フランジ部を介して前記天井部材の前記開口部に取り付ける際、前記引掛部が前記仮固定受け金具に設けられた孔に係合せず、仮固定を完了されていない状態では、前記空調装置本体への前記パネルの取付は、このパネルの内壁に前記仮固定受け金具が干渉し、前記パネルが正規の取付位置とならない構造であることを特徴とする空調装置。
【請求項４】
天井部材の開口部に取り付けられる空調装置であって、
前記開口部の室外側に配置され、その室外側の外面に空気の通風口を有するとともに、その室内側端面に前記開口部の内周縁に沿う本体フランジ部が設けられた空調装置本体と、
前記開口部の内周縁の室内側の面に接触して配置される枠状の枠フランジ部を有する取付枠と、
前記空調装置本体の室内側の面を覆うパネル
とを備え、
前記天井部材と前記本体フランジ部との間に前記枠フランジ部が配置されるとともに、
前記取付枠の前記枠フランジ部に前記空調装置本体の自重を支えるための引掛金具が設けられ、
前記本体フランジ部に回転可能な仮固定受け金具が設けられ、
前記空調装置本体を前記天井部材の前記開口部に取り付ける際、
前記仮固定受け金具を回転させ、前記引掛金具の引掛部と前記仮固定受け金具を係合させることなく仮固定完了位置の状態で、前記空調装置本体の固定を行った場合、前記引掛金具が前記仮固定受け金具を室内側に押し下げることにより、前記空調装置本体への前記パネルの取付時に、このパネルの内面に前記仮固定受け金具が干渉し、前記パネルが正規の取付位置とならない構造であることを特徴とする空調装置。
【発明の詳細な説明】
【技術分野】
【０００１】
本発明は空調装置に係り、特に浴室等の天井に取付けて使用される空調装置の取付構造を改良した空調装置に関する。
【背景技術】
【０００２】
従来、浴室の天井等に設置されて使用される空調装置では、天井補強部材が不要な取付枠構造を実現する目的で、取付枠が天井等に開口され、空調装置を取付ける取付部の裏面に配設する補強部材を兼ね備えた構成とし、空調装置の取付枠は、天井の裏側に設置され、ねじによって天井に固定されている。また、空調装置のダクト接続口は、取付枠にねじで固定されている。また、空調装置本体は、天井を挟んで取付枠にねじで固定される空調装置が提案されている（例えば、特許文献１参照）。
【０００３】
しかしながら、特許文献１に記載の空調装置は、仮固定を完了せずとも空調装置本体を本固定することができ、あくまでも空調装置本体を取り付ける際の補助的な役目のみであり、また、仮固定を完了せずとも空調装置本体を本固定した後に、パネルを取付できる構造であるため、仮固定忘れを防止できる構造ではなかった。
【０００４】
また、本体の内側から操作して、仮止め、および仮止めの解除ができるようにしてメンテナンス性を高める空調装置を実現する目的で、下方が開口した箱状で天井に設けた取付開口に挿脱自在な形状の本体と、この本体の側面に設けた貫通孔を介し、内側または外側に移動可能に設けられる仮固定金具とを備え、本体を天井の取付開口から挿入して取り付ける際に、仮固定金具を本体の内側から操作し、天井に係合して本体を仮固定することにより、本体の内側から操作して仮止めおよび仮止めの解除ができる空調装置が提案されている（例えば、特許文献２参照）。
【０００５】
しかしながら、特許文献２に記載の空調装置は、空調装置本体の自重を天井部材で支える構造であり、天井部材の強度が弱い場合は、空調装置本体を支えられない場合があった。また、空調装置本体を天井開口部に取り付ける際に、空調装置本体を仮固定するための仮固定金具を備えているが、仮固定を完了せずとも空調装置本体を本固定することができ、あくまでも空調装置本体を取り付ける際の補助的な役目のみであった。また、仮固定を完了せずとも空調装置本体を本固定した後に、パネルを取付できる構造であるため、仮固定忘れを防止できる構造ではなかった。
【先行技術文献】
【特許文献】
【０００６】
【特許文献１】特開２００３−１７２５３５号公報
【特許文献２】特開２００７−２７８５６６号公報
【発明の概要】
【発明が解決しようとする課題】
【０００７】
本発明は上述した事情を考慮してなされたもので、仮固定が可能で、かつ仮固定忘れを防止することができ、安全かつ容易に空調装置本体の据付けが可能な空調装置を提供することを目的とする。
【課題を解決するための手段】
【０００８】
上述した目的を達成するため、本発明に係る空調装置は、天井部材の開口部に取り付けられる空調装置であって、前記開口部の室外側に配置され、その室外側の外面に空気の通風口を有するとともに、その室内側端面に前記開口部の内周縁に沿う本体フランジ部が設けられた空調装置本体と、前記開口部の内周縁の室内側の面に接触して配置される枠状の枠フランジ部を有し、前記空調装置本体を固定するためのネジ穴を備えた取付枠とを備え、前記天井部材と前記本体フランジ部との間に前記枠フランジ部が配置されるとともに、前記取付枠の前記枠フランジ部に前記空調装置本体の自重を支えるための引掛部が設けられ、前記本体フランジ部に回転可能で、かつ前記空調装置本体を取付枠にねじ止め固定するための孔が設けられた仮固定受け金具が設けられ、前記空調装置本体を前記天井部材に取り付けられた取付枠を通して前記開口部に取り付ける際、前記本体フランジ部の前記仮固定受け金具を回転させて、前記引掛金具の引掛部に前記仮固定受け金具が係合した位置において、前記仮固定受け金具に設けられた孔が一致する位置の本体フランジ部に孔を設け、取付ねじが仮固定受け金具に設けられた前記孔と本体フランジ部に設けられた孔を貫通して、枠フランジ部のネジ穴に螺合されて前記空調装置本体が前記取付枠に固定されることを特徴とする。
【０００９】
また、本発明に係る空調装置は、天井部材の開口部に取り付けられる空調装置であって、前記開口部の室外側に配置され、その室外側の外面に空気の通風口を有するとともに、その室内側端面に前記開口部の内周縁に沿う本体フランジ部が設けられた空調装置本体と、前記開口部の内周縁の室内側の面に接触して配置される枠状の枠フランジ部を有する取付枠と、前記空調装置本体の室内側の面を覆うパネルとを備え、前記天井部材と前記本体フランジ部との間に前記枠フランジ部が配置されるとともに、前記取付枠の前記枠フランジ部に前記空調装置本体の自重を支えるための引掛金具が設けられ、前記本体フランジ部に回転可能な仮固定受け金具が設けられ、前記空調装置本体を前記枠フランジ部を介して前記天井部材の前記開口部に取り付ける際、前記引掛部が前記仮固定受け金具に設けられた孔に係合せず、仮固定を完了されていない状態では、前記空調装置本体への前記パネルの取付は、このパネルの内壁に前記仮固定受け金具が干渉し、前記パネルが正規の取付位置とならない構造であることを特徴とする。
【００１０】
また、本発明に係る空調装置は、天井部材の開口部に取り付けられる空調装置であって、前記開口部の室外側に配置され、その室外側の外面に空気の通風口を有するとともに、その室内側端面に前記開口部の内周縁に沿う本体フランジ部が設けられた空調装置本体と、前記開口部の内周縁の室内側の面に接触して配置される枠状の枠フランジ部を有する取付枠と、前記空調装置本体の室内側の面を覆うパネルとを備え、前記天井部材と前記本体フランジ部との間に前記枠フランジ部が配置されるとともに、前記取付枠の前記枠フランジ部に前記空調装置本体の自重を支えるための引掛金具が設けられ、前記本体フランジ部に回転可能な仮固定受け金具が設けられ、前記空調装置本体を前記天井部材の前記開口部に取り付ける際、前記仮固定受け金具を回転させ、前記引掛金具の引掛部と前記仮固定受け金具を係合させることなく仮固定完了位置の状態で、前記空調装置本体の固定を行った場合、前記引掛金具が前記仮固定受け金具を室内側に押し下げることにより、前記空調装置本体への前記パネルの取付時に、このパネルの内面に前記仮固定受け金具が干渉し、前記パネルが正規の取付位置とならない構造であることを特徴とする。
【発明の効果】
【００１１】
本発明によれば、仮固定忘れを防止することができ、安全かつ容易に空調装置本体の据付けが可能な空調装置を提供することができる。
【図面の簡単な説明】
【００１２】
【図１】本発明の第１実施形態に係る空調装置の使用状態を示す概念図。
【図２】本発明の第１実施形態の空調装置に用いる空調装置本体の天井部材への取付け前の状態を示す斜視図。
【図３】本発明の第１実施形態に係る空調装置に用いる取付枠と接続部材を示す斜視図。
【図４】本発明の第１実施形態に係る空調装置に用いる取付枠の開口部への取付状態の斜視図。
【図５】本発明の第１実施形態に係る空調装置に用いる取付枠の斜視図。
【図６】本発明の第１実施形態に係る空調装置に用いる仮固定受け金具近傍を示す斜視図。
【図７】本発明の第１実施形態に係る空調装置に用いる仮固定受け金具近傍を示す模式図。
【図８】本発明の第１実施形態に係る空調装置に用いる仮固定受け金具及び引掛金具近傍を示す斜視図。
【図９】本発明の第１実施形態に係る空調装置に用いる仮固定受け金具及び引掛金具に係合状態を示す斜視図。
【図１０】本発明の第１実施形態に係る空調装置に用いる仮固定受け金具近傍の模式断面図。
【図１１】本発明の第１実施形態に係る空調装置に用いる仮固定受け金具近傍の斜視図。
【図１２】本発明の第２実施形態に係る空調装置に用いる取付枠の取付状態の斜視図。
【図１３】本発明の第２実施形態に係る空調装置に用いる空調装置本体の天井部材への取付け前の状態を示す斜視図。
【発明を実施するための形態】
【００１３】
本発明の第１実施形態に係る空調装置について添付図面を参照して説明する。
【００１４】
図１及び図２に示すように、本発明の第１実施形態に係る空調装置１は、浴槽１０１が設置される浴室１０２の天井部材１０３に設けた長方形の開口部１０３ａを介して、天井部材１０３に取付られている。
【００１５】
空調装置１は箱形状の空調装置本体２を備え、この空調装置本体２には、浴室１０２内の空気と浴室１０２に隣接する別室（洗面室）１０４の空気を換気するファンからなる換気手段３、この浴室１０２内の空気を循環させるためのファン及び空気通路からなる循環手段４、室外と連通する排気通風口５、別室１０４と連通する副吸込み通風口６、浴室１０２内の空気を加熱する電熱ヒータからなる加熱手段７、図示省略するマイクロコンピュータを備えた制御部を有する。
【００１６】
そして、空調装置本体２は、板金からなる取付枠１１を挟持して浴室天井面に固定され、さらにその室内側面に長方形のパネル１２が取付けられる。
【００１７】
浴室に隣接する洗面室１０４には、この部屋１０４の空気を換気するための副吸込みグリル１８が取付けられ、空調装置１を遠隔にて操作するリモコン１９が設置されており、リモコン１９からの信号を受けて空調装置１を制御する。
【００１８】
浴室１０２内には入浴後等に乾燥させるための衣類Ｃを吊り下げることができる。
【００１９】
リモコン１９は図示省略する乾燥、換気、涼風、暖房、常時換気、停止の各入力ボタン及び、表示部、入タイマー操作部、切入タイマー操作部、温度検出手段を備える。
【００２０】
パネル１２は、室内側となる下面に吸込口と吹出口を有し、図２に示すようにパネル１２の４隅に設けられた取付孔１２ａを挿通する雄ネジ１４を室内側から後述する本体フランジ部２ａにねじ込み固定することで行なわれる。パネル１２の取付完了時にはパネル周囲が天井面に密接して隙間がなくなり、見栄えが良くなるとともに空調装置本体２が予定しない部分から空気を吸込んだり、吹出したりすることを防止する。
【００２１】
図３に示すように排気通風口５に連通して室外へ排気するためのダクト接続用の排気連通部１５、洗面室１０４に連通する副吸込み通風口６と連通して、浴室１０３の空気を室外へ排気するためのダクト接続用の副吸込み連通部１６が、それぞれ接続部材１７Ａ、１７Ｂにカシメ等の手段を用いて取り付けられている。これらの接続部材１７Ａ、１７Ｂは、空調装置本体２を天井面に取付固定するための取付枠１１にねじ止め固定されている。取付枠１１は、枠形状で、中央に空調装置本体２を収納する開口１１ｄが設けられ、この開口１１ｄが天井面の開口部１０３ａと一致する位置になるようにして、取付枠１１の下面周囲に設けられた枠フランジ部１１ａが室内側の天井面に密着固定される。
【００２２】
図４は取付枠１１の開口部１０３ｂへの取付状態を天井側から見た図である。
【００２３】
この図４に示すように、天井部材１０３の開口部１０３ａの縁の天井上に例えば木枠などからなる天井取付部材１０３ｂが配置され、この開口部１０３ａに室内側から天井側に向けて取付枠１１が挿入され、取付枠１１の天井側に設けられているリブ部１１ｂを折り曲げて天井部材１０３に引っ掛けることで仮固定され、枠フランジ部１１ａにねじを用いて天井部材１０３に本固定される。
【００２４】
図３及び図５に示すように、室外へ排気するためのダクト接続用の排気連通部１５を有した接続部材１７Ａと、別室１０４の空気を室外へ排気するためのダクト接続用の副吸込み連通部１６を有した接続部材１７Ｂと、空調装置本体２の副吸込み通風口の内で使用しない副吸込み通風口（図示省略）を塞ぐため遮へい部を有した接続部材１７Ｃの各々の接続フランジ部２０に設けられた丸孔２０ａの位置と、取付枠１１の枠フランジ部１１ａの接続部材取付孔１１ｅの位置が合わされ、取付枠１１を挟持してドリルネジ２１や先端が尖ったタッピンネジ等を使い天井部材１０３に固定されている。
【００２５】
取付枠１１に固定された各々の接続部材１７Ａ、１７Ｂの排気連通部１５、副吸込み連通部１６とダクト２２（図１）は、その接続部分に粘着アルミテープ等を巻くことで隙間なく固定される。
【００２６】
そして、各々の接続部材１７Ａ、１７Ｂの排気連通部１５、副吸込み連通部１６の所定の位置と、空調装置本体２の排気通風口５、副吸込み通風口６の位置が合わされ、取付枠１１の開口部１１ｄに挿入されている。
【００２７】
図６に示すように、取付枠１１の枠フランジ部１１ａには、空調装置本体２の自重を一時的に支えるための引掛部となる爪状の引掛金具２３がスポット溶接等で固定されている。
【００２８】
この後、詳述するが、図７に示すように仮固定完了後の状態では、点線図示のように、仮固定受け金具２４の仮固定孔２４ａが引掛金具２３の引掛部２３ａに係合する。
【００２９】
さらに、図６、８及び９に示すように、箱状の空調装置本体２の下面の外周には、上述の枠フランジ部１１ａと重なるように枠状の本体フランジ２ａが設けられている。このため、空調装置本体２が天井面に取り付けられると、本体フランジ部２ａは、室内側端面で前記開口部の内周縁に沿う形となる。
【００３０】
本体フランジ部２ａは、合成樹脂の成形品でなり、水平方向に回転可能な仮固定受け金具２４がねじ２４ｃで取付られている。仮固定受け金具２４は、このねじ２４ｃを回転中心として、水平方向に回転可能になっている。仮固定受け金具２４は長尺の平板からなる金具で、ねじ２４ｃを挿通するための固定孔が一端に設けられ、中間部に仮固定孔２４ａが、他端部には本固定孔２４ｂが設けられている。図６の状態から空調装置本体２をさらに、天井側に持ち上げ、図８に示すように空調装置本体２を取付枠１１の開口部１１ｄに挿入すると、引掛金具２３に設けられた引掛部２３ａが、本体フランジ部２ａに設けられた本体仮固定孔２ｂ（図７）から突出する。この状態となったところで、仮固定受け金具２４を取付枠１１の開口側に回転させると、仮固定受け金具２４に設けられた仮固定孔２４ａが引掛部２３ａに係合し、仮固定が完了する。なお、仮固定受け金具２４は本体フランジ部２ａの長手方向の両側にそれぞれ設けられており、両側の仮固定が完了すると空調装置本体２は一時的に取付枠１１に支持される。したがって、作業者は空調装置本体２から手を離しても空調装置本体２は落下することがなく、次の作業を両手を使って行なうことができるようになる。なお、この仮固定は、空調装置本体２の２箇所のみで固定しているため、長期使用に耐えるだけの強度はないとともに、空調装置本体２の保持位置も最終的な状態よりもわずかにずれ（天井面からの浮き）がある。
【００３１】
この仮固定の状態では、図９に示すように仮固定受け金具２４に設けた本固定孔２４ｂと本体フランジ部２ａに設けた本体孔２ｃが重なる位置になる。
【００３２】
従って、図２及び図９に示すように、取付作業者が、本固定孔２４ｂにドリルネジ２１や先端が尖ったタッピンネジ等を挿入すると、このネジ２１が、本体フランジ部２ａに設けた本体孔２ｃを貫通して枠フランジ部１１ａの本体取付孔１１ｃ（図６）に螺合し、空調装置本体２が取付枠１１に固定される。本体フランジ部２ａには、図６に示すように複数の本体孔２ｃが設けられ、本固定孔２４ｂ以外の位置にある本体孔２ｃ部分では、ドリルネジ２１が直接、本体孔２ｃを通して枠フランジ部１１ａの本体取付孔１１ｃに螺合し、空調装置本体２が本固定される。
【００３３】
本第１実施形態に係る空調装置の取付構造は、仮固定忘れの防止と、空調装置本体２の固定を確実のものとした二重落下防止構造になっている。
【００３４】
次に本第１実施形態に係る空調装置の天井部材への据付作業について説明する。
【００３５】
まず、取付枠１１を天井に取り付け、続いて図１に示すように、取付枠１１に固定された各々の接続部材１７Ａ、１７Ｂの排気連通部１５、副吸込み連通部１６とダクト２２を接続する。
【００３６】
次に、図６に示すように、接続部材１７Ａ、１７Ｂの排気連通部１５、副吸込み連通部１６の所定の位置と、空調装置本体２の排気通風口５、副吸込み通風口６の位置を合わせて、空調装置本体２を取付枠１１の開口部１１ｄに挿入する。
【００３７】
その際に、図８に示すように本体に設けられた回転可能な仮固定受け金具２４を反開口側に回転させた状態で、空調装置本体２を取付枠１１の開口部１１ｄに所定の位置まで挿入すると、引掛金具２３に設けられた引掛部２３ａが本体フランジ部２ａに設けられた本体仮固定孔２ｂから突出する。そこで、図９に示すように開いていた仮固定受け金具２４を開口側に回転させると仮固定受け金具２４に設けられた仮固定孔２４ａが引掛部２３ａに係合する。
【００３８】
同様に、本体フランジ部２ａのもう一方の仮固定受け金具２４を同様に回転させ、本固定孔２４ｂが引掛部２３ａに係合されると空調装置本体２の仮固定は完了することとなる。この係合した位置において、両仮固定受け金具２４に設けた本固定孔２４ｂと本体フランジ部２ａに設けた本体孔２ｃ及び枠フランジ部１１ａの本体取付孔１１ｃが重なる。
【００３９】
ここで、図９に示すように、本固定孔２４ｂにドリルネジ２１や先端が尖ったタッピンネジ等を使い固定すると、図６に示す本体フランジ部２ａに設けた本体孔２ｃと枠フランジ部１１ａの本体取付孔１１ｃの位置が合致しており、取付用ねじ２１が本固定孔２４ｂと本体孔２ｃの両方を通って取付用ねじ２１の先端が枠フランジ部１１ａの本体取付孔１１ｃに螺合し、空調装置本体２の固定と共通の共締めがなされ、本固定される。なお、このねじ止めの際、ネジ２１の先端は枠フランジ部１１ａの本体取付孔１１ｃを突き抜け、さらに取付枠１１が固定されている天井部材１０３を貫通して、天井取付部材１０３ｂ１に螺合し、強固な固定となる。
【００４０】
なお、本体フランジ２ａは合成樹脂のモールド品で形成されているため、本体孔２ｃはネジによる強固な締め付けを行なうと破損するおそれがあるが、ネジの頭部分が直接当たる本固定孔２４ｂは仮固定受け金具２４の金属製であるため、ネジの締結に強い力を加えても本固定孔２４ｂの内側に位置する本体孔２ｃが破損する可能性は低くなる。
【００４１】
続いて仮固定受け金具２４のない位置にある数箇所の本体フランジ２ａの本体孔２ｃにドリルネジ２１や先端が尖ったタッピンネジ等を挿入して枠フランジ部１１ａの本体取付孔１１ｃに螺合させると、同様にドリルネジ２１が天井部材１０３を貫通してさらに天井取付部材１０３ｂに螺合し、空調装置本体２の本体フランジ２ａが枠フランジ部１１ａに共締めされ固定される。
【００４２】
最後に、図２に示すように空調装置本体２にパネル１２をネジ１４にて固定することで取付作業は完了する。
【００４３】
続いて、本実施の形態によれば、設置時に誤って仮固定を行なわなかった場合には、設置作業の途中で作業者が気づくことが可能な構成となっている点について説明する。
【００４４】
まず、仮固定受け金具２４の回動が不十分で引掛金具２３に仮固定孔２４ａの係合が不十分な場合には、仮固定受け金具２４の本固定用孔２４ｂと本体孔２ｃの中心が一致しないため、仮固定孔２４ａに本固定用のネジ２１を通すことが出来なくなり、本固定前に仮固定が不十分であることが確認できる。
【００４５】
また、図１１に示すように仮固定の実施を忘れて、本固定を進めてしまい仮固定孔２４ａを通さずに本体フランジ部２ａの本体孔２ｃに直接ねじ２１を螺着してしまった場合には、その後、仮固定を行なおうとして仮固定受け金具２４を引掛金具２３側に回動させても、ねじ２１の頭が仮固定受け金具２４の側面に衝突してそれ以上の回転を規制し、引掛金具２３に仮固定受け金具２４の仮固定孔２４ａが係合できなくなる。さらに、この状態でパネル１２を空調装置本体２へ取り付けようとすると、図７に示すように仮固定受け金具２４の側面が外方に長さ△Ｌだけ突出して、パネル１２の内壁に干渉（衝突）するため、パネル１２をそれ以上空調装置本体２側に押し上げられなくなり、パネル１２をネジ１４で空調装置本体１１に取り付けできない。このため、仮固定を忘れた場合には、パネル１２の取付が出来なくなるので、仮固定忘れが確実に防止できる。
【００４６】
さらに、空調装置本体２を天井部材１０３の開口部１０３ａに挿入する際に、先に仮固定受け金具２４を回転させて仮固定位置にある状態で、空調装置本体２を開口部１０３ａに押し込むと、図１０に示すように引掛金具２３が仮固定受け金具２４に当たる。仮固定受け金具２４は、回転可能にするため上下に若干の寸法的な余裕を持ってネジ２４ｃによって本体フランジ部２ａ取り付けられているために、その余裕分に対応した高さ△Ｈだけ浴室側に押し下げられ、仮固定受け金具２４が傾いた状態となる。なお、図１０は仮固定受け金具２４の傾きを分かりやすくするために模式的に表わしたものであり、実際にはこれほど大きくは傾かない。この状態では、本固定孔２４ｂと本体孔２ｃの中心が一致しなくなり、固定用のネジ２１が貫通できず、本固定孔２４ｂを使った本固定が出来なくなり、仮固定忘れに気づくことができる。正常に仮固定が行なわれた場合には仮固定受け金具２４は図１０の破線で示す位置となり、本固定孔２４ｂと本体孔２ｃの中心が一致する。
【００４７】
また、この状態で、本固定孔２４ｂへのネジ２１挿入も忘れて、残りの数箇所の空調装置本体２の固定をネジ２１を使い天井に固定し、空調装置本体２の固定を完了させた場合には、最後の空調装置本体２へのパネル１２の取付において、パネル１２の内面に仮固定受け金具２４が衝突し、天井部材１０３とパネル上端間に△Ｓの間隙が生じ、パネル１２をネジ１４で空調装置本体１１に取り付けできなくなり、仮固定忘れを気づかせることができる。
【００４８】
以上のように、本第１実施形態の空調装置によれば、仮固定忘れを防止することができ、安全に空調装置本体の据付けが可能な空調装置が実現される。
【００４９】
次に、本発明の第２実施形態に係る空調装置について説明する。
【００５０】
本第２実施形態は、第１実施形態が天井部材の開口部に空調装置本体が直付けされるのに対して、アンカーボルトを用いて空調装置本体を吊り下げる場合である。
【００５１】
図１２、１３に示すように、本第２実施形態の空調装置の空調装置本体２は、アンカーボルト３１を用いて吊り下げられる。
【００５２】
予め、アンカーボルト３１に天吊金具３２を、ナット３３を用いて、所定の位置より若干下側に仮固定しておき、天吊金具３２に予め仮止めしてある天吊ネジ３４を取付枠１１に設けた達磨孔３５から天吊ネジ３４のネジ頭を通し、取付枠１１を仮固定させる。
【００５３】
次に、天吊金具３２の天吊ネジ３４を締めて取付枠１１と完全に固定し、各々のアンカーボルト３１のナット３３を調整し、取付枠１１の枠フランジ部１１ａが、天井部材１０３の浴室面に密接する位置で固定した後、第１実施形態と同様に、取付枠１１の枠フランジ部１１ａの開口部１０３ａ内に空調装置本体２を挿入し、仮固定受け金具２４によって仮止め固定した後、ネジによって本固定する。この場合、開口部１０３ａの縁の天井上に天井取付部材１０３ｂはなく、空調装置本体２は枠フランジ部１１ａの本体取付孔１１ｃにネジが螺合することで固定される。
【００５４】
他の構成は第１の実施の形態に示す空調装置と異ならないので、説明は省略する。
【符号の説明】
【００５５】
１…空調装置、２…空調装置本体、２ａ…本体フランジ部、２ｂ…本体仮固定孔、２ｃ…本体孔、３…換気手段、４…循環手段、５…排気通風口、６…副吸込み通風口、７…加熱手段、１１…取付枠、１１ａ…枠フランジ部、１１ｂ…リブ部、１１ｃ…本体取付孔、１１ｄ…開口部、１１ｅ…接続部材取付孔、１２…パネル、１２ａ…取付孔、１３…取付具、１３ａ…雌ねじ部、１４…雄ねじ、１５…排気連通部、１５ｃ…遮へい部、１６…副吸込み連通部、１７（Ａ、Ｂ、Ｃ）…接続部材、１８…副吸込みグリル、１９…リモコン、Ｃ…衣類、１７ａ…排気連通部、１７ｂ…副吸込み連通部、１７ｃ…遮へい部、２０…接続フランジ部、２０ａ…丸孔、２１…ドリルネジ、２２…ダクト、２３…引掛金具、２３ａ…引掛部、２４…仮固定受け金具、２４ａ…孔部、２４ｂ…本固定孔、１０１…浴槽、１０２…浴室、１０３…天井部材、１０３ａ…開口部。
【図１】
2010159906.tif 000003
【図２】
2010159906.tif 000004
【図３】
2010159906.tif 000005
【図４】
2010159906.tif 000006
【図５】
2010159906.tif 000007
【図６】
2010159906.tif 000008
【図７】
2010159906.tif 000009
【図８】
2010159906.tif 000010
【図９】
2010159906.tif 000011
【図１０】
2010159906.tif 000012
【図１１】
2010159906.tif 000013
【図１２】
2010159906.tif 000014
【図１３】
2010159906.tif 000015